(57)【特許請求の範囲】
【請求項１】
楽曲の再生に応じて照明機器の制御を行う照明制御装置であって、
一定間隔で音声を出力させる音声信号出力部と、
一定間隔で前記照明機器を発光させる発光信号出力部と、
前記音声信号出力部による音声出力のタイミング、および前記発光信号出力部による前記照明機器の発光タイミングのうち、少なくともいずれか一方のタイミングを、操作者の操作により、時間軸上で調整させる手動タイミング調整部と、
前記手動タイミング調整部により調整した調整量を記憶する調整量記憶部と、
前記調整量記憶部に記憶された過去の調整量を取得する調整量取得部と、を備え、
前記調整量取得部で取得された調整量に基づいて、前記照明機器の制御を行うことを特徴とする照明制御装置。
【請求項２】
請求項１に記載の照明制御装置において、
前記音声信号出力部による音声出力のタイミングと、前記発光信号出力部による前記照明機器の発光タイミングとは、初期値で同期していることを特徴とする照明制御装置。
【請求項３】
請求項１または請求項２に記載の照明制御装置において、
複数の照明機器を制御するように構成され、
前記複数の照明機器のうち、いずれかの照明機器を操作者に選択させる照明機器選択部を備えていることを特徴とする照明制御装置。
【請求項４】
請求項３に記載の照明制御装置において、
前記複数の照明機器は、それぞれが異なる発光原理による異なる光源を有し、
前記照明機器選択部は、異なる光源に応じて照明機器の選択を可能とすることを特徴とする照明制御装置。
【請求項５】
請求項１から請求項４のいずれか一項に記載の照明制御装置において、
前記音声信号出力部による音声出力のタイミング、および前記発光信号出力部による照明機器の発光タイミングを同じ時間軸上で表示するタイミング表示部を備えていることを特徴とする照明制御装置。
【請求項６】
請求項１から請求項５のいずれか一項に記載の照明制御装置において、
前記楽曲の再生制御を行う楽曲再生制御装置が接続され、
前記手動タイミング調整部は、前記楽曲再生制御装置の操作子により操作が可能とされていることを特徴とする照明制御装置。
【発明の詳細な説明】
【技術分野】
【０００１】
本発明は、楽曲の再生に応じて照明機器の制御を行う照明制御装置に関する。
【背景技術】
【０００２】
コンサートやクラブシーンにおいて、音楽に対応した照明または楽曲に同期して照明を変化させることは、演出効果上重要である。
このため、従来、楽曲に対応した照明操作の自動化が提案されている。たとえば、特許文献１、特許文献２に記載の技術は、楽曲に対応した照明内容に関する照明制御データを予め作成しておき、楽曲の演奏時に楽曲と同期して、照明制御データに基づき、照明機器を制御することにより、楽曲に対応した所望の照明演出効果を実現している。
【先行技術文献】
【特許文献】
【０００３】
【特許文献１】特許第３７４０７９号公報
【特許文献２】特開２０１０−１９２１５５号公報
【発明の概要】
【発明が解決しようとする課題】
【０００４】
しかしながら、前記特許文献１、特許文献２に記載の技術において、楽曲の拍位置のタイミングで照明機器を発光させる制御信号を出力したとしても、制御信号を出力した後、実際に発光するまでに、遅延が生じることがあるため、拍位置と発光タイミングにズレが生じるという課題がある。
また、一律に発光タイミングの位置をずらしたとしても、照明機器の灯体ごとの発光タイミングにばらつきがあるため、全体を同期させることができないという課題がある。【０００５】
本発明の目的は、照明機器ごとに発光タイミングを調整することのできる照明制御装置を提供することにある。
【課題を解決するための手段】
【０００６】
本発明の照明制御装置は、
楽曲の再生に応じて照明機器の制御を行う照明制御装置であって、
一定間隔で音声を出力させる音声信号出力部と、
一定間隔で前記照明機器を発光させる発光信号出力部と、
前記音声信号出力部による音声出力のタイミング、および前記発光信号出力部による前記照明機器の発光タイミングのうち、少なくともいずれか一方のタイミングを、操作者の操作により、時間軸上で調整させる手動タイミング調整部と、
前記手動タイミング調整部により調整した調整量を記憶する調整量記憶部と、
前記調整量記憶部に記憶された過去の調整量を取得する調整量取得部と、を備え、
前記調整量取得部で取得された調整量に基づいて、前記照明機器の制御を行うことを特徴とする。
【図面の簡単な説明】
【０００７】
【図１】本発明の実施形態に係る音声照明制御システムの構成を示す模式図。
【図２】前記実施形態における音声照明制御システムの機能ブロック図。
【図３】前記実施形態におけるディスプレイ上に表示された音声信号波形および発光信号波形を示す模式図。
【発明を実施するための形態】
【０００８】
以下、本発明の実施の一形態を図面に基づいて説明する。
［１］音響照明制御システム１の全体構成
図１には、本発明の実施形態に係る音響照明制御システム１が示されている。音響照明制御システム１は、ＤＪパフォーマンスにおける音響機器制御操作と、音響機器制御とともに行われる照明機器制御を同時に行うシステムであり、ＤＪコントローラ２、コンピュータ３、スピーカー４、および照明装置５を備える。
【０００９】
楽曲再生制御装置としてのＤＪコントローラ２は、操作者が操作するＤＪ機器の本体部分であり、通信ケーブル６を介してコンピュータ３と接続されている。
ＤＪコントローラ２は、左右のデッキＤ１、Ｄ２を備え、それぞれのデッキＤ１、Ｄ２には、ジョグダイヤル２Ａ、ボリューム調整つまみ２Ｂ、パフォーマンスパッド２Ｃ等が設けられている。また、ＤＪコントローラ２は、左右のデッキＤ１、Ｄ２の間にミキサーＭ１を備え、ミキサーＭ１は、左右のデッキＤ１、Ｄ２から出力される再生信号の音声出力を調整する。
操作者は、左右のデッキＤ１、Ｄ２を操作して、それぞれのデッキで再生される楽曲データの再生操作制御を行い、ＤＪパフォーマンスを行う。
このようなＤＪコントローラ２は、アナログケーブル７を介してスピーカー４と接続され、操作者によるＤＪパフォーマンスに応じた音声がスピーカー４から出力される。
【００１０】
コンピュータ３は、操作者がＤＪコントローラ２を操作して出力される音響機器制御操作信号に基づいて、ＤＪコントローラ２に挿入された光ディスクに記憶された楽曲データや、コンピュータ３内に記憶されている楽曲データに、ＤＪコントローラ２に入力された再生制御操作に応じた音響効果を施し、ＤＪコントローラ２に出力し、アナログケーブル７を介して、スピーカー４から操作者の操作に応じた音声を出力する。
また、コンピュータ３には、通信ケーブル８を介して、照明装置５が接続されている。
【００１１】
照明装置５は、ライブスペース内やイベントスペース内の照明を行うものであり、ライブ設備として多用される各種の照明機器５Ａを備えている。
照明機器５Ａは、舞台照明に多用される、たとえばパーライト、ストロボライト、ムービングヘッドなどである。これらの照明機器５Ａにおいては、それぞれ投光の断続、明るさのほか、機器によって照射方向、動作速度などのパラメータを指定することができる。
【００１２】
これらのパラメータを制御するために、照明装置５の照明機器５Ａは、それぞれたとえば、ＤＭＸ５１２規格に準拠するとともに、同規格に基づいて互いに接続され、同規格に準拠した照明制御信号を送信することで、各照明機器５Ａに所期の照明を実行させることができる。
なお、ＤＭＸ５１２規格は舞台照明分野で一般的な規格であるが、コンピュータ３および照明装置５の接続は、同規格によるものに限らず、他の規格に基づくものであってもよい。
【００１３】
［２］音響照明制御システム１の機能ブロック構成
図２には、照明制御装置としても機能する音響照明制御システム１の機能ブロック図が示されている。コンピュータ３は、楽曲情報処理部３Ａおよび照明情報処理部３Ｂを備える。
【００１４】
楽曲情報蓄積部１０は、演奏対象となる楽曲情報を蓄積するハードディスク等の記憶装置から構成される。演奏対象の決定は、操作者がＤＪコントローラ２を操作することにより、デッキＤ１で演奏する楽曲や、デッキＤ２で再生する楽曲を選択し、楽曲再生処理部１１に出力する。
楽曲再生処理部１１は、デッキＤ１、Ｄ２で選択された楽曲を再生する。操作者がＤＪコントローラ２のジョグダイヤル２Ａ、ボリューム調整つまみ２Ｂ、およびパフォーマンスパッド２Ｃ等を操作することにより生成される再生制御操作信号は、この楽曲再生処理部１１に入力され、操作者が行うＤＪパフォーマンスに応じた楽曲再生処理がなされる。
【００１５】
楽曲構造解析部１２は、再生対象となる楽曲構造の解析を行う。
具体的には、楽曲構造解析部１２は、ＦＦＴ（Fast Fourier Transform）解析等を利用して、楽曲を構成するイントロ（Intro）、Ａメロ（Verse）、サビ（Hook）、アウトロ（Outro）等の楽曲構造特徴区間の構造解析を行ったり、ＬＰＦ（Low Pass Filter）を利用して、所定の周波数以下の音を検出して、拍位置、ＢＰＭ等の解析を行ったりする。
【００１６】
照明情報処理部３Ｂは、照明情報の処理を行う部分であり、音声信号出力部１３、発光信号出力部１４、照明機器選択部１５、照明制御部１６、タイミング表示部１７、手動タイミング調整部１８、調整量記憶部１９、および調整量取得部２０を備える。
音声信号出力部１３は、一定間隔で音を発する制御信号を楽曲再生処理部１１に出力し、楽曲再生処理部１１は、入力された制御信号に基づいて、一定間隔で音声出力を行う。
発光信号出力部１４は、音声信号出力部１３の音声出力と同期した一定間隔で発光させる制御信号を照明装置５に出力し、照明装置５は、照明機器５Ａを一定間隔で発光させる。なお、音声信号出力のタイミングと、発光信号のタイミングは、調整開始の時点では初期値として同期している。
【００１７】
照明機器選択部１５は、制御対象となる照明機器５Ａを選択する部分であり、選択される照明機器５Ａとしては、たとえばパーライト、ストロボライト、ムービングヘッドなどが挙げられる。具体的には、照明機器選択部１５は、コンピュータ３のディスプレイ３１上に照明機器５Ａを選択するリストを表示して、操作者に選択を促す。また、照明機器選択部１５は、ハロゲンランプ、ＬＥＤ、レーザー等の異なる発光原理による異なる光源を選択できるように、光源の種類を複数リスト中に表示して、操作者に光源の選択を促す。
照明制御部１６は、楽曲再生処理部１１の再生位置を取得するとともに、楽曲構造解析部１２で解析された楽曲構造特徴区間に応じて、照明制御信号を生成し、照明装置５に出力する。
【００１８】
タイミング表示部１７は、音声信号出力部１３から出力される音声信号のタイミングと、発光信号出力部１４から出力された発光信号のタイミングとを、コンピュータ３のディスプレイ３１上に表示する。具体的には、図３に示すように、音声信号波形Ｗ１と、発光信号波形Ｗ２を同じ時間軸上に表示し、音声信号と発光信号とのズレを操作者に視覚的に視認させる。なお、本実施形態では、コンピュータ３のディスプレイ３１上に表示するように構成しているが、これに限らず、ＤＪコントローラ２がディスプレイを備えている場合には、ＤＪコントローラ２のディスプレイ上に表示させてもよい。
【００１９】
手動タイミング調整部１８は、音声信号出力部１３および発光信号出力部１４の信号出力の開始のタイミングを、操作者に手動で調整させる。操作者による手動調整に際しては、コンピュータ３のキーボードやマウスを操作して行ってもよいが、ＤＪコントローラ２のボリューム調整つまみ２Ｂ（図１参照）を操作し、調整することも可能となっている。なお、前述した説明では、ボリュームつまみ２Ｂにより設定しているが、ジョグダイヤル２Ａを操作して調整できるようにしてもよい。
発光信号の開始タイミングの調整に際しては、デッキＤ１、Ｄ２のいずれかのボリューム調整つまみ２Ｂを指定し、照明制御用の操作子として設定する。なお、図３では、発光信号波形Ｗ２に遅れが生じているので、操作者は、ボリューム調整つまみ２Ｂを回転させて、時間軸上で音声信号波形Ｗ１に一致するように、発光信号波形Ｗ２を移動させる。
【００２０】
調整量記憶部１９は、たとえば、メモリ等の記憶装置から構成され、手動タイミング調整部１８で調整された照明機器５Ａの発光開始のタイミングの調整量を記憶する。具体的には、調整量記憶部１９は、照明機器選択部１５により選択された照明機器５Ａについて、操作者が、ボリューム調整つまみ２Ｂを回転させた操作量を調整量として記憶する。
【００２１】
調整量取得部２０は、照明機器選択部１５により照明機器５Ａが選択されると、過去の調整量の値を調整量記憶部１９から読み出し、調整量を取得して、照明制御部１６に出力する。
照明制御部１６は、楽曲再生処理部１１の再生処理に応じて照明制御信号を、照明装置５に出力する際に、照明制御信号のタイミングを、調整量取得部２０で取得された調整量分だけずらして出力する。
【００２２】
［３］実施形態の作用および効果
このような本実施形態によれば、音響照明制御システム１が手動タイミング調整部１８を備えていることにより、操作者が手動タイミング調整部１８を操作して、楽曲再生処理部１１からの音声出力のタイミングと、照明機器５Ａの発光タイミングとの調整を行うことができる。したがって、音声出力のタイミングと発光タイミングを操作者の好みに応じて調整することができ、音響照明制御システム１によるＤＪパフォーマンスを向上させることができる。
【００２３】
また、調整量記憶部１９および調整量取得部２０を備えていることにより、照明機器選択部１５により選択された照明機器５Ａの調整量が記憶されるので、次回使用時には、その調整量を調整量取得部２０により取得して、照明制御部１６による照明制御を行うことができる。したがって、同じ調整作業を繰り返すことなく、照明機器５Ａの調整量の設定を行うことができる。
【００２４】
照明機器選択部１５を備えていることにより、操作者が調整対象となる照明機器５Ａを選択できるため、照明機器５Ａのバリエーションを操作者の好みに応じて設定して、ＤＪパフォーマンスを向上させることができる。
手動タイミング調整部１８が、ＤＪコントローラ２のボリューム調整つまみ２Ｂ等により調整可能とされているため、操作者はＤＪコントローラ２の再生制御操作中に、照明機器５Ａの発光タイミングを調整することができるため、操作者のＤＪパフォーマンスに応じて、好きな照明演出を行うことができる。
【符号の説明】
【００２５】
１…音響照明制御システム、２…ＤＪコントローラ、２Ａ…ジョグダイヤル、２Ｂ…ボリューム調整つまみ、２Ｃ…パフォーマンスパッド、３…コンピュータ、３Ａ…楽曲情報処理部、３Ｂ…照明情報処理部、４…スピーカー、５…照明装置、５Ａ…照明機器、６…通信ケーブル、７…アナログケーブル、８…通信ケーブル、１０…楽曲情報蓄積部、１１…楽曲再生処理部、１２…楽曲構造解析部、１３…音声信号出力部、１４…発光信号出力部、１５…照明機器選択部、１６…照明制御部、１７…タイミング表示部、１８…手動タイミング調整部、１９…調整量記憶部、２０…調整量取得部、３１…ディスプレイ、Ｄ１…デッキ、Ｄ２…デッキ、Ｍ１…ミキサー、Ｗ１…音声信号波形、Ｗ２…発光信号波形。
【図１】
0006691608.tif 000002
【図２】
0006691608.tif 000003
【図３】
0006691608.tif 000004